(57)【要約】【課題】保持器の傾きの発生を確実に防止でき、かつ、応力集中による破損の恐れや、潤滑剤の流れの悪化による潤滑不良の恐れもない玉軸受用保持器を提供することである。【解決手段】円筒状保持器５のポケット６の形状を対向する２つの辺６ａが保持器の軸方向と平行で、他の対向する２つの辺６ｂがこれらと直角な四角形とし、この四角形状としたポケット６の各コーナ部にＲ形状のぬすみ６ｃを設けることにより、保持器５の傾きの発生を確実に防止できるようにするとともに、ポケット６の各コーナ部での応力集中を緩和して破損の恐れをなくし、かつ、各コーナ部に潤滑剤を通す隙間を十分に確保して、潤滑剤の流れの悪化による潤滑不良の恐れもないようにした。【選択図】図２
2008133894.tif 000002
【特許請求の範囲】
【請求項１】
玉軸受の内外輪の軌道溝間に配列された複数のボールを、円筒状または円錐筒状の保持器の円周方向に間隔を開けて設けたポケットに保持する玉軸受用保持器において、前記ポケットの形状を対向する２つの辺が前記保持器の軸方向と平行で、他の対向する２つの辺がこれらと直角な四角形とし、この四角形状としたポケットの各コーナ部にＲ形状のぬすみを設けたことを特徴とする玉軸受用保持器。
【請求項２】
前記保持器が樹脂で形成されたものである請求項１に記載の玉軸受用保持器。
【請求項３】
前記保持器が、工作機械の主軸を支持するアンギュラ玉軸受用のものである請求項１または２に記載の玉軸受用保持器。
【発明の詳細な説明】
【技術分野】
【０００１】
本発明は、深溝玉軸受やアンギュラ玉軸受等の玉軸受用保持器に関する。
【背景技術】
【０００２】
深溝玉軸受やアンギュラ玉軸受等の玉軸受用保持器には、内外輪の軌道溝間に配列された複数のボールを、円筒状や円錐筒状の保持器の円周方向に間隔を開けて設けた円形のポケットに保持したものがある。通常、このような玉軸受用保持器の円形のポケットは、ボールの直径よりも少し大きく形成されている。
【０００３】
このようにポケットの形状をボールの直径よりも大きい円形状とした保持器は、軸受の回転中にボールが転動方向で左右にずれると、ポケットの内周面の軸方向中心からずれた軸方向と傾斜した曲面に当接し、保持器に円周方向からずれた斜めの分力が作用する。このため、保持器が傾くように振動して騒音が発生したり、保持器が内輪や外輪の案内面で案内されるものでは、傾いた保持器が案内面と局部的に接触して焼き付いたりする問題があった。このような保持器の傾きは、軸受が高速で回転する工作機械の主軸を支持するアンギュラ玉軸受等で発生しやすい。
【０００４】
このような問題に対して、ボールが転動方向で左右にずれても保持器に円周方向からずれた斜めの分力が作用しないように、保持器のポケットの形状を、直線または大きな曲率半径の弧で形成した各辺を直交させた四辺形とし、対向する２つの辺をボールの転動方向に対して直角に配した玉軸受用保持器が提案されている（例えば、特許文献１参照）。また、円形ポケットの間に、円形ポケットの径と同一の半円部とこの半円部に接続する軸方向の平行部をもった非円形ポケットを１個以上設けた玉軸受用保持器も提案されている（例えば、特許文献２参照）。
【０００５】
【特許文献１】実公昭３９−２２０５号公報
【特許文献２】特公昭５５−２７９７２号公報
【発明の開示】
【発明が解決しようとする課題】
【０００６】
特許文献１に記載された玉軸受用保持器のうち、ポケットの四辺形の各辺を直線で形成したものは、保持器の傾きの発生を確実に防止できるが、各辺が直角に交わるコーナ部に応力集中が発生しやすく、保持器が破損する恐れがある。コーナ部の応力集中を緩和するためには、コーナ部に隅肉部を形成すればよいが、応力集中を十分に緩和するために隅肉部を大きくすると、ボールとの隙間が少なくなって、保持器の内径側から外径側への潤滑剤の流れが悪くなり、特に、高速回転する軸受では潤滑不良が生じる問題がある。なお、ポケットの四辺形の各辺を弧で形成したものは、保持器の傾きの発生を確実に防止することはできない。
【０００７】
また、特許文献２に記載された玉軸受用保持器は、非円形ポケットに収納されたボールからは円周方向からずれた斜めの分力を受けることはないが、円形ポケットに収納されたボールからは従来通りに斜めの分力を受けるので、保持器の傾きの発生を確実に防止することはできない。
【０００８】
そこで、本発明の課題は、保持器の傾きの発生を確実に防止でき、かつ、応力集中による破損の恐れや、潤滑剤の流れの悪化による潤滑不良の恐れもない玉軸受用保持器を提供することである。
【課題を解決するための手段】
【０００９】
上記の課題を解決するために、本発明は、玉軸受の内外輪の軌道溝間に配列された複数のボールを、円筒状または円錐筒状の保持器の円周方向に間隔を開けて設けたポケットに保持する玉軸受用保持器において、前記ポケットの形状を対向する２つの辺が前記保持器の軸方向と平行で、他の対向する２つの辺がこれらと直角な四角形とし、この四角形状としたポケットの各コーナ部にＲ形状のぬすみを設けた構成を採用した。
【００１０】
すなわち、ポケットの形状を対向する２つの辺が保持器の軸方向と平行で、他の対向する２つの辺がこれらと直角な四角形とし、この四角形状としたポケットの各コーナ部にＲ形状のぬすみを設けることにより、保持器の傾きの発生を確実に防止できるようにするとともに、ポケットの各コーナ部での応力集中を緩和して破損の恐れをなくし、かつ、各コーナ部に潤滑剤を通す隙間を十分に確保して、潤滑剤の流れの悪化による潤滑不良の恐れもないようにした。
【００１１】
前記保持器を樹脂で形成されたものとすることにより、ポケットコーナ部のＲ形状のぬすみを容易に設けることができる。
【００１２】
上述した各玉軸受用保持器は、工作機械の主軸を支持するアンギュラ玉軸受用のものに好適である。
【発明の効果】
【００１３】
本発明の玉軸受用保持器は、ポケットの形状を対向する２つの辺が保持器の軸方向と平行で、他の対向する２つの辺がこれらと直角な四角形とし、この四角形状としたポケットの各コーナ部にＲ形状のぬすみを設けたので、保持器の傾きの発生を確実に防止できるとともに、応力集中による破損の恐れや潤滑剤の流れの悪化による潤滑不良の恐れもないようにすることができる。
【００１４】
前記保持器を樹脂で形成されたものとすることにより、ポケットコーナ部のＲ形状のぬすみを容易に設けることができる。
【発明を実施するための最良の形態】
【００１５】
以下、図面に基づき、本発明の実施形態を説明する。図１は、本発明に係る玉軸受用保持器１を用いた玉軸受を示す。この玉軸受は、内輪２と外輪３の軌道溝２ａ、３ａ間に、複数のボール４が保持器５で保持されたアンギュラ玉軸受１であり、内輪２の軌道溝２ａの両側に保持器５の案内面２ｂが設けられ、外輪３の軌道溝３ａの片側にカウンタ部３ｂが設けられている。
【００１６】
図２（ａ）、（ｂ）に示すように、前記保持器５は、樹脂で円筒状に形成され、その円周方向に間隔を開けて、ボール４を収納する四角形のポケット６が設けられている。このポケット６は、軸方向と平行に対向する２つの辺６ａと、これらと直角な２つの対向する辺６ｂとで形成されており、各コーナ部にＲ形状のぬすみ６ｃが設けられている。したがって、ボール４が転動方向で左右にずれても、円周方向からずれた斜めの分力で保持器５が傾くことはなく、かつ、各コーナ部への応力集中や、保持器５の内径側から外径側への潤滑剤循環の悪化が生じる恐れもない。
【００１７】
図３は、上述したアンギュラ玉軸受１を組み込んだ工作機械の主軸１１を示す。この主軸１１は、フロント側が背面合わせされた２つのアンギュラ玉軸受１と複列ころ軸受１２で、リア側が複列ころ軸受１３で、それぞれハウジング１４に支持され、これらの支持部の間にモータ部１５が設けられている。
【００１８】
上述した実施形態では、保持器をアンギュラ玉軸受用で円筒状のものとしたが、保持器は円錐筒状のものとすることもでき、深溝玉軸受等の他の玉軸受用のものとすることもできる。
【図面の簡単な説明】
【００１９】
【図１】本発明に係る玉軸受用保持器を用いたアンギュラ玉軸受を示す縦断面図
【図２】ａは図１の保持器を示す外観斜視図、ｂはａの展開平面図
【図３】図１のアンギュラ玉軸受を組み込んだ工作機械の主軸を示す概略縦断面図
【符号の説明】
【００２０】
１  アンギュラ玉軸受
２  内輪
２ａ  軌道溝
２ｂ  案内面
３  外輪
３ａ  軌道溝
３ｂ  カウンタ部
４  ボール
５  保持器
６  ポケット
６ａ、６ｂ  辺
６ｃ  ぬすみ
１１  主軸
１２、１３  複列ころ軸受
１４  ハウジング
１５  モータ部
【図１】
2008133894.tif 000003
【図２】
2008133894.tif 000004
【図３】
2008133894.tif 000005